(57)【特許請求の範囲】
【請求項１】
圃場を耕耘砕土する耕耘体と、
この耕耘体の後方位置に位置し、圃場を平らに整地する整地体と、
この整地体の左右水平方向の回動中心軸線の位置変更を規制する規制姿勢および前記回動中心軸線の位置変更を許容する許容姿勢に設定される設定体とを備え、
前記整地体は、左右水平方向の回動中心軸線に沿った係合軸部を有し、
前記設定体は、前記係合軸部と係脱自在に係合して前記係合軸部の位置変更を規制する規制姿勢に設定されるとともに、前記係合軸部との係合が解かれて前記係合軸部の位置変更を許容する許容姿勢に設定されるものであり、
前記設定体が規制姿勢に設定された状態時には、前記係合軸部は移動が規制された位置変更規制状態にあるがその定位置での回動は可能となっており、前記整地体はその係合軸部を中心として後端側が昇降するように回動する
ことを特徴とする農作業機。
【請求項２】
設定体は、回動操作により整地体の左右水平方向の回動中心軸線の位置変更を規制する規制姿勢に設定され回動操作により前記回動中心軸線の位置変更を許容する許容姿勢に設定される回動可能な回動操作設定体である
ことを特徴とする請求項１記載の農作業機。
【請求項３】
耕耘体の上方位置に位置して土の飛散を防止するカバー体と、
このカバー体の後端部に前端部が連結され、前記耕耘体の後方位置に位置する整地体の前端部に後端部が連結された連結体とを備え、
前記整地体の係合軸部は、前記連結体の略側方位置に配置されている
ことを特徴とする請求項２記載の農作業機。
【発明の詳細な説明】
【０００１】
【発明の属する技術分野】
本発明は、圃場を平らに整地する農作業機に関する。
【０００２】
【従来の技術】
従来、この種の農作業機は、例えば、圃場を耕耘するロータリー等の耕耘体を備え、この耕耘体の上方位置には土の飛散を防止するカバー体が設けられ、この耕耘体の後方位置には圃場を平らに整地する整地体が設けられている。そして、整地体は、カバー体に連結された弾性連結体に取り付けられ、この整地体は弾性連結体にて吊下げ保持されている。
【０００３】
【発明が解決しようとする課題】
しかしながら、上記従来の農作業機は、単に整地体を吊下げ保持した構成であるので、例えば、圃場の状態に適切に対応できないおそれがある問題を有している。
【０００４】
本発明は、このような点に鑑みなされたもので、圃場の状態に適切に対応できる農作業機を提供することを目的とする。
【０００５】
【課題を解決するための手段】
請求項１記載の農作業機は、圃場を耕耘砕土する耕耘体と、この耕耘体の後方位置に位置し、圃場を平らに整地する整地体と、この整地体の左右水平方向の回動中心軸線の位置変更を規制する規制姿勢および前記回動中心軸線の位置変更を許容する許容姿勢に設定される設定体とを備え、前記整地体は、左右水平方向の回動中心軸線に沿った係合軸部を有し、前記設定体は、前記係合軸部と係脱自在に係合して前記係合軸部の位置変更を規制する規制姿勢に設定されるとともに、前記係合軸部との係合が解かれて前記係合軸部の位置変更を許容する許容姿勢に設定されるものであり、前記設定体が規制姿勢に設定された状態時には、前記係合軸部は移動が規制された位置変更規制状態にあるがその定位置での回動は可能となっており、前記整地体はその係合軸部を中心として後端側が昇降するように回動するものである。
【０００６】
そして、この構成では、設定体が規制姿勢に設定されると、整地体の左右水平方向の回動中心軸線の位置変更が規制され、設定体が許容姿勢に設定されると、整地体の左右水平方向の回動中心軸線の位置変更が許容される。
【０００７】
請求項２記載の農作業機は、請求項１記載の農作業機において、設定体は、回動操作により整地体の左右水平方向の回動中心軸線の位置変更を規制する規制姿勢に設定され回動操作により前記回動中心軸線の位置変更を許容する許容姿勢に設定される回動可能な回動操作設定体であるものである。
【０００８】
そして、この構成では、回動操作設定体が回動操作により規制姿勢に設定されると、整地体の左右水平方向の回動中心軸線の位置変更が規制され、回動操作設定体が回動操作により許容姿勢に設定されると、整地体の左右水平方向の回動中心軸線の位置変更が許容される。
【０００９】
請求項３記載の農作業機は、請求項２記載の農作業機において、耕耘体の上方位置に位置して土の飛散を防止するカバー体と、このカバー体の後端部に前端部が連結され、前記耕耘体の後方位置に位置する整地体の前端部に後端部が連結された連結体とを備え、前記整地体の係合軸部は、前記連結体の略側方位置に配置されているものである。
【００１０】
そして、この構成では、回動操作設定体の規制姿勢設定時に、連結体と耕耘体との間の空間が著しく増大するのを防止でき、耕耘体による砕土性が良好である。
【００１１】
【発明の実施の形態】
以下、本発明の農作業機の一実施の形態の構成を図面を参照して説明する。
【００１２】
図１ないし図３において、１は代掻装置等の農作業機で、この農作業機１は、図示しないトラクタの牽引により水田圃場上を移動しつつ、水田圃場を耕耘砕土して水田圃場の表面部を水平面状に平らに整地するものである。
【００１３】
この農作業機１は、図示しないトラクタに着脱可能に装着される機体２を備え、この機体２は、農作業機１の左右水平方向に長手方向を有する細長筒形状の主フレーム３を有している。
【００１４】
この主フレーム３の長手方向の中央部側には、入力軸５を有するミッション６が設けられているとともにトラクタ連結部としての三点連結部７が設けられている。この三点連結部７は、トップピン８を有するトップマスト９、ロワピン10を有する左右一対のロワアーム11，11等にて構成されている。
【００１５】
また、主フレーム３の長手方向の両端部には、上下方向に長手方向を有する側面視細長略矩形状の互いに離間対向した左右一対の側板フレームとしてのチェーンケース14およびブラケット15の各々の上端部が固着されている。
【００１６】
これらチェーンケース14およびブラケット15の下端部間には、水田圃場を耕耘砕土する耕耘体としての耕耘ロータリー作業体16が回転可能に設けられている。この耕耘ロータリー作業体16は、チェーンケース14およびブラケット15の下端部間に軸架された水平状の回転軸17を有し、この回転軸17には複数の耕耘爪18が軸方向に互いに間隔を介して並設され、各耕耘爪18が回転軸17から放射状に突出している。
【００１７】
また、チェーンケース14およびブラケット15の各々の下部後端部には、互いに離間対向した左右一対の板状の突出部としてのサイドカバー体21，21が後方に向って突設されており、これら両サイドカバー体21は、耕耘ロータリー作業体16の側方に位置し、チェーンケース14およびブラケット15とともに耕耘ロータリー作業体16から放出される土の側方への飛散を防止する。さらに、サイドカバー体21の外側面には、図１に示されるように、両端面を開口した略円筒形状の支持部材23が取り付けられており、この支持部材23は、上端開口部が前斜め上方に開口しかつ下端開口部が後斜め下方に開口した所定の傾斜状態とされている。また、この支持部材23にて設定体としての回動操作設定体24が回動可能に支持されている。この回動操作設定体24は、細長棒状部材が三箇所で折り曲げられて側面視略二等辺三角形状に形成されたもので、図示しない自由端部側が支持部材23内に差し込まれており、等しい二辺の連結部側には係合部25が形成されている。なお、支持部材23および回動操作設定体24にて軸部保持手段26が構成されている。
【００１８】
また一方、チェーンケース14およびブラケット15の上下方向の略中央部間には、左右方向に長手方向を有する細長略矩形板状で幅方向中央側が上方に膨出したやや湾曲状のカバー体としての上部カバー体31が略水平面状に設けられている。この上部カバー体31は、耕耘ロータリー作業体16の上方位置でこの耕耘ロータリー作業体16に沿って配置され、耕耘ロータリー作業体16から放出される土の上方への飛散を防止する。
【００１９】
また、この上部カバー体31の後端部には、左右方向に長手方向を有する細長略矩形板状のゴム板等の弾性変形可能な連結体としての弾性連結体32の前端部が連結固定されている。この弾性連結体32は、図１に示されるように、前端側から後端側に向って徐々に下方に傾斜した傾斜状に配置され、左右一対のサイドカバー体21，21間に略位置している。
【００２０】
さらに、この弾性連結体32の後端部には、幅方向の中間二箇所で屈曲した左右方向に長手方向を有する細長略矩形板状の整地基板34の前端部が連結固定されている。この整地基板34は、図１に示されるように、前端側から後端側に向って徐々に下方に傾斜した傾斜状に配置され、左右一対のサイドカバー体21より後方位置に位置している。
【００２１】
また、整地基板34の長手方向の両端部には、互いに離間対向した左右一対の整地側板35，35が固着され、この整地側板35の前側部はサイドカバー体21と弾性連結体32との間に入り込んでいる。さらに、整地側板35の上部外側面には、軸方向が左右水平方向に一致した断面円形の固定用ピン等の係合軸部36，36が一体に突出形成されている。左右一対の係合軸部36の整地側板35からの突出寸法は、それぞれ、図３に示されるように、係合軸部36の先端がサイドカバー体21の外側面より側方に突出する寸法に設定されている。また、係合軸部36は、弾性連結板32の前後方向中央部よりやや後端側寄りの部分或いは前後方向中央部の側方位置に配置されている。なお、整地基板34、整地側板35、係合軸部36等にて均平板等の整地体としての第１の整地体38が構成され、この第１の整地体38は、耕耘ロータリー作業体16の後方位置に位置し、耕耘ロータリー作業体16から放出される土を下方に誘導して略水平面状に平らに整地する。
【００２２】
そして、第１の整地体38の整地側板35の係合軸部36は、回動操作設定体24の係合部25と係脱自在の構成とされており、この回動操作設定体24は、例えば作業者の手で支持部材23の軸方向に一致した回動中心軸線を中心として一方向へ回動操作すると、自由端部側のばね作用でサイドカバー体21側に付勢されてこのサイドカバー体21に圧接した状態となって、係合部25が整地側板35の係合軸部36と係脱自在に係合し、これにより、この回動操作設定体24は、第１の整地体38の左右水平方向の回動中心軸線（係合軸部36の中心軸線）Ｘの位置変更、つまり、回動中心軸線Ｘに沿った係合軸部36の位置変更を規制する規制姿勢に設定された状態となる（図１、図５）。
【００２３】
なお、この回動操作設定体24が規制姿勢に設定された状態時には、係合軸部36は、規制姿勢にある回動操作設定体24の係合部25と係合し、この係合部25とサイドカバー体21の後端縁部とで挟持された状態にあり、上方や後方等への移動が規制された位置変更規制状態にあるが、その定位置での回動は可能となっている。すなわち、この回動操作設定体24が規制姿勢に設定された状態時には、第１の整地体38は、係合軸部36を中心として後端側が昇降するように回動可能な状態にある。なお、第１の整地体38の回動時には、この第１の整地体38の回動に応じて弾性連結体32が長手方向に沿って折れ曲がるようにして弾性変形する。
【００２４】
また、回動操作設定体24は、例えば作業者の手で支持部材23の軸方向に一致した回動中心軸線を中心として一方向とは反対の他方向へ回動操作すると、自由端部側のばね作用でサイドカバー体21側に付勢されてこのサイドカバー体21に圧接した状態となって、整地側板35の係合軸部36との係合が解かれ、これにより、第１の整地体38の左右水平方向の回動中心軸線（係合軸部36の中心軸線）Ｘの位置変更、つまり、回動中心軸線Ｘに沿った係合軸部36の位置変更を許容する許容姿勢に設定された状態となる（図４）。なお、この状態時においては、第１の整地体38は、弾性連結体32にて吊下げ保持された状態にある。
【００２５】
さらに、第１の整地体38の後端部には、左右方向に長手方向を有する細長略矩形板状のレーキ板等の第２の整地体40が、左右一対の回動アーム41，41等からなる連結手段42を介して回動可能に連結されている。なお、回動アーム41は整地側板35に取り付けられた回動規制手段43で解除可能に回動規制されている。そして、この第２の整地体40は、第１の整地体38の後方位置に水平整地姿勢で位置し、第１の整地体38にて整地された水田圃場の表面部を水平面状に平らに整地する。
【００２６】
なお、上部カバー体31の上面部における左右両側のアーム取付け部45には左右一対の第１の支持アーム46，46の前端部が回動可能に取り付けられ、第１の支持アーム46の後端部に第１の吊持杆47の上端部が回動可能に連結され、第１の吊持杆47の下端部が第１の整地体38の上面部に回動可能に連結されている。そして、第１の支持アーム46、第１の吊持杆47、コイルスプリング48等にて第１の整地体接地圧調節手段49が構成されており、この第１の整地体接地圧調節手段49にて第１の整地体38の圃場面との接地圧が調節可能となっている。
【００２７】
また、上部カバー体31の上面部における長手方向中央のアーム取付け部50には第２の支持アーム51の前端部が回動可能に取り付けられ、第２の支持アーム51の後端部に第２の吊持杆52の上端部が回動可能に連結され、第２の吊持杆52の下端部が第２の整地体40の上面部に回動可能に連結されている。そして、第２の支持アーム51、第２の吊持杆52、図示しないガススプリング等にて第２の整地体接地圧調節手段54が構成されており、この第２の整地体接地圧調節手段54にて第２の整地体40の圃場面との接地圧が調節可能となっている。また、第２の整地体40は、図示しない操作ハンドルの操作により、整地作業をする水平整地姿勢と土寄せ作業をする略鉛直状の土寄せ姿勢とに切り換えることができる。
【００２８】
次に、上記一実施の形態の動作を説明する。
【００２９】
図示しないトラクタの三点リンク機構（作業機昇降用油圧装置）に機体２の三点連結部７を連結するとともに、図示しないトラクタのＰＴＯ軸に入力軸５を図示しない動力伝達軸等を介して連結することにより、トラクタからの駆動力で耕耘ロータリー作業体16を作動させる。
【００３０】
砕土を中心とする荒代作業時には、図５に示すように、回動操作設定体24を規制姿勢に設定し、第１の整地体38の係合軸部36の位置変更を規制した状態とする。
【００３１】
そして、トラクタの走行によりこのトラクタとともに農作業機１全体を水田圃場に沿って前方に移動させると、耕耘ロータリー作業体16にて耕耘砕土作業が行われ、第１の整地体38および第２の整地体40にて整地作業が行われ、水田圃場の表面部が水平面状に平らに整地される。
【００３２】
この荒代作業時において、第１の整地体38が、整地基板34への土塊の衝突等に基づいて所定の大きさ以上の土圧を受けた場合、第１の整地体38は左右水平方向の回動中心軸線Ｘを中心として後端側が上昇する方向に回動し、この回動に応じて弾性連結体32が係合軸部36と対向する位置、例えば後端近傍位置でこの弾性連結体32の長手方向に沿ってやや折れ曲がる。
【００３３】
しかし、弾性連結体32の所定部分、つまり係合軸部36より前方に位置する部分は変形せず、この弾性連結体32の所定部分と耕耘ロータリー作業体16との間の空間Ａは大きくならないため、この空間Ａは所定の大きさに維持される。その結果、耕耘ロータリー作業体16の土塊の持ち回り性が悪くなるのを防止でき、砕土性が良好である。
【００３４】
また、均平を中心とする仕上げ代作業時には、図４に示すように、回動操作設定体24を許容姿勢に設定し、第１の整地体38の係合軸部36の位置変更を許容した状態とする。
【００３５】
そして、トラクタの走行によりこのトラクタとともに農作業機１全体を水田圃場に沿って前方に移動させると、耕耘ロータリー作業体16にて耕耘砕土作業が行われ、第１の整地体38および第２の整地体40にて整地作業が行われ、水田圃場の表面部が水平面状に平らに整地される。
【００３６】
この仕上げ代作業時には、第１の整地体38は、弾性連結体32にて吊下げ保持されたフリー状態にあり、弾性連結体32の弾性変形に基づいて、後端側が昇降するように左右水平方向の回動中心軸線を中心として回動したり、左右両端側が昇降するように前後水平方向の回動中心軸線を中心として回動したりする。その結果、弾性連結体32の弾性変形により圃場の凸凹を吸収でき、圃場の凸凹でトラクタが傾いても、第１の整地体38および第２の整地体40を所定の水平状態に維持でき、均平性が良好である。
【００３７】
また、係合軸部36の位置変更規制が解除されたフリー状態では、圃場の軟らかくなった表面部に、第１の整地体38の重量が無理に作用せず、良好な仕上げ面が得られる。さらに、このフリー状態では、第１の整地体38の左右水平方向の回動中心軸線が弾性連結体32の前端部である上端部に位置するので、第１の整地体38の整地基板34および弾性連結体32からなる前後方向に比較的長い距離の整地部で、耕耘ロータリー作業体16からの土を比較的長い距離で柔軟に下方に誘導でき、均平性を向上できる。
【００３８】
このように、上記一実施の形態によれば、機体１の耕耘ロータリー作業体16の側方の左右一対のサイドカバー体21に設けた左右一対の回動操作設定体24を、荒代作業時に一方向に回動操作することにより規制姿勢に設定して第１の整地体38の左右水平方向の回動中心軸線Ｘの位置変更を規制したり、仕上げ代作業時に他方向に回動操作することにより許容姿勢に設定して第１の整地体38の左右水平方向の回動中心軸線Ｘの位置変更を許容したりできるので、作業状況等に応じた圃場の状態に適切に対応でき、圃場の状態に応じた適切な整地作業ができる。また、回動操作設定体24の設定は、作業者の手でワンタッチに行うことができ、操作性も良好である。
【００３９】
なお、上記実施の形態においては、第１の整地体38の係合軸部36を解除可能に保持する軸部保持手段26は、支持部材23および回動操作設定体24を有する構成として説明したが、例えば、図６ないし図８に示す軸部保持手段26aでもよい。
【００４０】
この軸部保持手段26aは、回動可能な設定体としての回動操作設定体61を有し、この回動操作設定体61は、細長略矩形板状に形成され、長手方向の中央近傍でやや折り曲げられ、この折曲げにより形成された傾斜部分が摘み部62となっている。回動操作設定体61における摘み部62とは反対側である基端側の端部には軸挿通用孔部63が開口形成されており、この軸挿通用孔部63内に、サイドカバー体21の外側面から側方に向って突出し軸方向が農作業機１の左右水平方向に一致した支軸部65が挿通され、回動操作設定体61はこの支軸部65を中心として回動可能となっている。この支軸部65の先端部にはリング状の抜け止め部材66が嵌着され、この抜け止め部材66と回動操作設定体61の軸挿通用孔部63の周縁部分との間に付勢手段としてのコイルばね67が圧縮された状態で装着されており、このコイルばね67は、回動操作設定体61をサイドカバー体21側に付勢し、回動操作設定体61はサイドカバー体21の外側面と圧接している。
【００４１】
また、回動操作設定体61の長手方向の中央部には、軸保持用孔部68が開口形成されている。一方、サイドカバー体21の外側面には、許容姿勢設定用の軸部70が側方に向って突出するように設けられ、この軸部70は支軸部65の上方位置でこの支軸部65と平行に位置している。
【００４２】
そして、回動操作設定体61は、作業状況等に応じた圃場の状態により、一方向への回動操作により第１の整地体38の係合軸部36に係脱自在に嵌合により係合して第１の整地体38の左右水平方向の回動中心軸線Ｘの位置変更を規制する規制姿勢に設定され（図６、図８）、一方向とは反対の他方向への回動操作により係合軸部36との係合が解かれて第１の整地体38の左右水平方向の回動中心軸線Ｘの位置変更を許容する許容姿勢に設定される（図７）。
【００４３】
すなわち、この回動操作設定体61は、規制姿勢に設定する場合、例えば作業者は、許容姿勢にある回動操作設定体61の摘み部62を手で摘み、コイルばね67の付勢力に抗してサイドカバー体21から離し、回動操作設定体61の軸保持用孔部68と軸部70との係合を解く。その後、支軸部65を中心として一方向へ回動操作することにより、回動操作設定体61の軸保持用孔部68内に整地側板35の係合軸部36を挿通させ、この回動操作設定体61と係合軸部36とを係合させる。これにより、回動操作設定体61は、第１の整地体38の左右水平方向の回動中心軸線（係合軸部36の中心軸線）Ｘの位置変更、つまり、係合軸部36の位置変更を規制する規制姿勢に設定された状態となる。
【００４４】
なお、この回動操作設定体61が規制姿勢に設定された状態時には、係合軸部36は、規制姿勢にある回動操作設定体61の軸保持用孔部68と挿通係合し、この軸保持用孔部68にて保持された状態にあり、上方や後方等への移動が規制された位置変更規制状態にあるが、その定位置での回動は可能となっている。すなわち、この回動操作設定体61が規制姿勢に設定された状態時には、第１の整地体38は、係合軸部36を中心として後端側が昇降するように回動可能な状態にある。
【００４５】
また、回動操作設定体61は、許容姿勢に設定する場合、例えば作業者は、規制姿勢にある回動操作設定体61の摘み部62を手で摘み、コイルばね67の付勢力に抗して、回動操作設定体61の軸保持用孔部68と係合軸部36との係合を解く。その後、支軸部65を中心として他方向へ回動操作することにより、回動操作設定体61の軸保持用孔部68内にサイドカバー体21の軸部70を挿通させ、この回動操作設定体61と軸部70とを係合させる。これにより、回動操作設定体61は、第１の整地体38の左右水平方向の回動中心軸線（係合軸部36の中心軸線）Ｘの位置変更、つまり、係合軸部36の位置変更を許容する許容姿勢に設定された状態となる。この状態時においては、第１の整地体38は、弾性連結体32にて吊下げ保持された状態にある。
【００４６】
そして、図６ないし図８に示す軸部保持手段26aを備えた構成でも、図３等に示す軸部保持手段26を備えた構成と同様、作業状況等に応じた圃場の状態に適切に対応でき、圃場の状態に応じた適切な整地作業をできる等の作用効果を奏することができる。
【００４７】
また、上記いずれの実施の形態においても、第１の整地体38は、ゴム板等の弾性連結体32の後端部に連結した構成として説明したが、例えば、図９に示すように、軸方向が前後水平方向に一致した支軸部71を中心として左右両端側が昇降するように回動するとともに軸方向が左右水平方向に一致した支軸部72を中心として後端側が昇降するように回動する金属製の連結体32aの後端部に連結した構成でもよい。なお、図９に示す回動操作設定体24は、規制姿勢に設定されて第１の整地体38の左右水平方向の回動中心軸線Ｘ、すなわち、第１の整地体38の整地基板34の上端部である前端部の左右両端から側方に突出した係合軸部36，36の位置変更を規制する一方、許容姿勢に設定されて係合軸部36，36の位置変更を許容する。
【００４８】
さらに、図１０に示すように、第１の整地体38は、軸方向が左右水平方向に一致した支軸部73を中心として後端側が昇降するように回動するとともに支軸部73がサイドカバー体21の長孔74に案内されることで昇降する金属製の連結体32bの後端部に連結した構成でもよい。なお、図１０に示す回動操作設定体24は、図９に示す回動操作設定体24と同様、規制姿勢に設定されて第１の整地体38の左右水平方向の回動中心軸線Ｘ、すなわち、第１の整地体38の整地基板34の上端部である前端部の左右両端から側方に突出した係合軸部36，36の位置変更を規制する一方、許容姿勢に設定されて係合軸部36，36の位置変更を許容する。
【００４９】
また、上記いずれの実施の形態でも、回動操作設定体24，61等の設定体は、回動操作により規制姿勢および許容姿勢に設定する構成として説明したが、例えば、図示しないが、スライド操作で設定する構成、或いは、第１の整地体38の孔部に対して設定体に形成した挿入部を抜き差し操作することで設定する構成等でもよい。
【００５０】
さらに、図示しない設定用駆動源を設けて、この設定用駆動源からの駆動力で設定体の姿勢を自動的に設定するようにしてもよい。
【００５１】
【発明の効果】
請求項１記載の発明によれば、設定体を規制姿勢に設定して整地体の左右水平方向の回動中心軸線の位置変更を規制したり、設定体を許容姿勢に設定して整地体の左右水平方向の回動中心軸線の位置変更を許容したりできるので、圃場の状態に適切に対応できる。
【００５２】
請求項２記載の発明によれば、回動操作設定体を回動操作により規制姿勢に設定して整地体の左右水平方向の回動中心軸線の位置変更を規制したり、回動操作設定体を回動操作により許容姿勢に設定して整地体の左右水平方向の回動中心軸線の位置変更を許容したりできるので、簡単な操作で、圃場の状態により一層適切に対応できる。
【００５３】
請求項３記載の発明によれば、回動操作設定体の規制姿勢設定時に、連結体と耕耘体との間の空間が著しく増大するのを防止でき、耕耘体による砕土性を良好にできる。
【図面の簡単な説明】
【図１】本発明の農作業機の一実施の形態の側面図である。
【図２】同上農作業機の後面図である。
【図３】同上農作業機の一部拡大後面図である。
【図４】同上農作業機の設定体を許容姿勢に設定した状態の側面図である。
【図５】同上農作業機の設定体を規制姿勢に設定した状態の側面図である。
【図６】本発明の農作業機の他の実施の形態の一部拡大後面図である。
【図７】同上農作業機の設定体を許容姿勢に設定した状態の側面図である。
【図８】同上農作業機の設定体を規制姿勢に設定した状態の側面図である。
【図９】本発明の農作業機のさらに他の実施の形態の後方からみた斜視図である。
【図１０】本発明の農作業機のさらに他の実施の形態の後方からみた斜視図である。
【符号の説明】
１    農作業機
16    耕耘体としての耕耘ロータリー作業体
24，61    設定体としての回動操作設定体
31    カバー体としての上部カバー体
32    連結体としての弾性連結体
36    係合軸部
38    整地体としての第１の整地体
Ｘ    回動中心軸線
【図１】
0003600784.tif 000002
【図２】
0003600784.tif 000003
【図３】
0003600784.tif 000004
【図４】
0003600784.tif 000005
【図５】
0003600784.tif 000006
【図６】
0003600784.tif 000007
【図７】
0003600784.tif 000008
【図８】
0003600784.tif 000009
【図９】
0003600784.tif 000010
【図１０】
0003600784.tif 000011